(57)【要約】【課題】  ランダムアクセス性に優れ、かつ小型のデジタル記録再生装置を提供する。【解決手段】  ハードディスク、光ディスク、又は光磁気ディスクのいずれか一の記録媒体を有し、該記録媒体に符号圧縮したデジタル画像信号を主に記録する小型のディスク駆動手段を備える構成である。【選択図】  図２
2004215292.tif 000002
【特許請求の範囲】
【請求項１】
ハードディスク、光ディスク、又は光磁気ディスクのいずれか一の記録媒体を有し、該記録媒体に符号圧縮した画像を主に記録する小型のディスク駆動手段を備え、
前記ディスク駆動手段にハードディスクドライブを用いた場合の磁気ヘッドは、磁気抵抗素子を含む薄膜ヘッドから成り、該薄膜ヘッドには複数のトラックが並列に形成され、１つの該薄膜ヘッドで多チャンネルの記録再生が可能なことを特徴とするデジタル記録再生装置。
【請求項２】
前記ディスク駆動手段に用いられる前記記録媒体の直径が１．３インチ（３．３cm）以下であることを特徴とする請求項１記載のデジタル記録再生装置。
【請求項３】
前記ディスク駆動手段に信号を記録する際に、画像の符号圧縮率が、少なくとも１／１０以上であることを特徴とする請求項１又は２に記載のデジタル記録再生装置。
【請求項４】
前記ディスク駆動手段に信号を記録する際に、信号の面記録密度が１ギガビット／(インチ)2（１５５メガビット／cm2）以上であることを特徴とする請求項１〜３のいずれか一に記載のデジタル記録再生装置。
【発明の詳細な説明】
【技術分野】
【０００１】
本発明は、ハードディスク、光ディスク、又は光磁気ディスクを用いた小型のデジタル記録再生装置に関する。
【背景技術】
【０００２】
一般に、カメラ一体型ＶＴＲは、そのカセットの大きさにより現在市場には「ＶＨＳ−Ｃ」「８mm」の２つのタイプがあり、カセットの小型化ゆえの簡便性から圧倒的に「８mm」タイプのものが市場の大半をしめている。
【０００３】
このような状況の中で、近年デジタルＶＴＲの開発が活発化してきている。このデジタルＶＴＲは、映像信号をデジタルで扱うため各種の情報機器（例えば、パソコン、プリンター）との接続が容易になるという利点を有し、また、カセットサイズも従来の「８mm」より小さいサイズのものを使うためカメラ一体型ＶＴＲの小型化が実現出来るという利点も併せ持つ。
【０００４】
しかしながら、このデジタルＶＴＲは、その心臓部である記録再生系には、従来の「８mmＶＴＲ」とおなじ構成の回転シリンダー機構を採用している。このためカセットがかなり小型化できても、ＶＴＲそのものの大きさは、この回転シリンダー機構の制約をうけカセットほどには小さくならない。
【０００５】
さらに、記録媒体に磁気テープを用いているため、パソコンなどと接続して記録した画像の加工及び編集を行おうとした場合、磁気テープの欠点であるランダムアクセスが遅いために編集作業に時間が掛かってしまう。
【０００６】
従来、ランダムアクセスを可能にする映像記録再生装置が、例えば、特開平４ー８８７７２号公報に記載されている。この従来例のブロック図を図３に示す。同図に示すように、磁気テープの駆動手段（ＶＴＲ部）とは別個に、磁気記録を行なうＨＤＤ（ハードディスクドライブ）部によるランダムアクセス可能なドライブ装置を備え、同一内容の映像信号を同時にＶＴＲ部１５とＨＤＤ部２３に記録し、記録中に再生を行う場合に、ＶＴＲ部１５の記録を続行しながらＨＤＤ部２３により所望の画像の再生を瞬時に行うものである。
【発明の開示】
【発明が解決しようとする課題】
【０００７】
従来の８ミリカメラ一体型ＶＴＲは小型であるが、回転シリンダ機構を採用しているために小型化に限界があり、また、ランダムアクセス性が劣るため編集作業に時間が掛かるという問題点を有している。
【０００８】
また、従来例に示すＨＤＤを別個に備えたＶＴＲでは、ランダムアクセス性に優れるが、別々の記録再生手段を備えているため装置の小型化を達成することが困難であるという問題点を有している。
【０００９】
したがって、本発明は、上記問題点を解消せんとするものであり、ランダムアクセス性に優れ、かつ小型のデジタル記録再生装置を提供することを目的とする。
【課題を解決するための手段】
【００１０】
上記目的を達成するために、本発明のデジタル記録再生装置においては、ＶＴＲで用いられている磁気テープの代わりに記録媒体としてディスクを用い、符号圧縮した画像を主に記録再生する小型のディスク駆動手段を備え、ディスク駆動手段にハードディスクドライブを用いた場合の磁気ヘッドは、磁気抵抗素子を含む薄膜ヘッドから成り、該薄膜ヘッドには複数のトラックが並列に形成され、１つの該薄膜ヘッドで多チャンネルの記録再生をする。
【００１１】
そして、小型化を達成するために、ディスク駆動手段に用いられる記録媒体の直径は１．３インチ以下であることが好ましく、また、画像符号圧縮が１／１０より大きな圧縮率であることが好ましく、また、信号の面記録密度は１ギガビット／（インチ）2以上であることが好ましい。
【発明の効果】
【００１２】
以上説明した通り、本発明のデジタル記録再生装置においては、外形寸法の小さいＨＤＤ、光ディスクドライブ、又は光磁気ディスクドライブを備え、符号圧縮した画像を記録している。このため、装置全体の小型化が達成できると共に、高速アクセスを実現することができる。
【００１３】
そして、画像記録時の圧縮率を上げ、またディスクに記録される信号の面記録密度を高めることにより、小型のディスクに長時間の画像記録を行なうことができる。
【００１４】
また、ＨＤＤを用いた場合には、磁気ヘッドに磁気抵抗素子を含む薄膜ヘッドを用いることにより、小型の磁気ヘッドを構成することができる。そして、薄膜ヘッドに複数のトラックを並列に形成することにより、１つの磁気ヘッドで多チャンネルの記録・再生が達成でき、磁気ヘッドの数が少なくなりディスク駆動手段の小型化に貢献する。
【発明を実施するための最良の形態】
【００１５】
本発明のデジタル記録再生装置においては、小型のＨＤＤ、光ディスクドライブ、あるいは光磁気ディスクドライブを用いて符号圧縮した画像記号の記録が為される。このため、装置の全体の小型化が図れると共にランダムアクセスが向上する。そして、画像符号圧縮率及び面記録密度を所定の値にすることにより小型のディスクに長時間の画像記録を行なうことができる。
【００１６】
さらに、磁気抵抗素子を含む薄膜ヘッドを用い、該薄膜ヘッドに複数のトラックを並列に形成することにより、１つのヘッドで多チャンネル化が実現でき、ディスク駆動手段の一層の小型化が可能になる。
【実施例】
【００１７】
以下、本発明における一実施例について説明する。
【００１８】
図１は、本発明で用いられるデジタルＶＤＲ（ビデオディスクレコーダ）の基本構成を示すブロック図である。同図に示すように、入力されたアナログ映像信号は、Ａ／Ｄ変換手段２によりデジタル信号に変換され、画像圧縮符号化手段３によりデータ量が圧縮される。
【００１９】
そして、画像圧縮されたデータは、チャンネル分割手段４にて複数のチャンネルに分割され、チャンネルごとに誤り訂正符号化手段５により訂正符号が付加され、変調手段６で変調された後、記録信号増幅手段７を通り、ディスク駆動手段に備えられた記録手段８、例えば、磁気ヘッドによりハードディスク９に記録される。なお、磁気ヘッド以外に光ヘッドあるいは光磁気ヘッドを用いることもでき、記録手段８に対応した記録媒体が用いられる。
【００２０】
再生時は、ディスク駆動手段に備えられた磁気ヘッド１０から検出された再生信号は、再生信号増幅手段１１を通り、復調回路１２で復調された後、誤り訂正復号化手段１３で誤り訂正され、分割されていたチャンネルの合成が行なわれ、画像圧縮復号化手段１５で復号化され、Ｄ／Ａ変換手段１６でアナログ信号に変換され、アナログ映像信号が出力される。アナログ映像信号は図示しないモニターに入力され、画像の再生が行なわれる。
【００２１】
図２は、本発明における、ディスク駆動手段２３が組み込まれているカメラ一体型デジタルＶＤＲ２２を示す斜視図である。ディスク駆動手段２３には、ＨＤＤ、光ディスクドライブ、又は光磁気ディスクドライブを用いることが好ましい。
【００２２】
表１は、デジタルＶＴＲカセットと小型ディスクとの外形サイズの比較を表わしている。
【００２３】
【表１】
2004215292.tif 000003
【００２４】
本発明の実施例におけるカメラ一体型デジタルＶＤＲに用いる使用ディスクは、１．３インチ（３．３cm）以下であることが好ましく、このディスクを用いた場合のＨＤＤの外形サイズは、縦・横・厚みがそれぞれ５１mm・３７mm・１１mm  以下となる。１．３インチ以下のＨＤＤの外形は、表１に示すように、デジタルＶＴＲのカセットサイズより小さいので、１．３インチ以下のＨＤＤを用いることにより小型のカメラ一体型デジタルＶＤＲを達成することができる。
【００２５】
表２は、各種のディスク装置における画像圧縮率と記録時間の関係を表わしている。
【００２６】
【表２】
2004215292.tif 000004
【００２７】
表２に示すように画像圧縮率を変えることにより、ハードディスク及び光磁気ディスクに記録できる時間が異なる。小型化を達成するには少なくとも１／１０以上の圧縮率が必要であり、実用的には、１／２０以上の大きな圧縮率が必要であり、好ましくは１／５０以上の圧縮率が必要である。このときの記録信号の面記録密度は、１Ｇビット／（インチ）2すなわち１５５Ｍビット／cm2以上であることが好ましい。
【００２８】
なお、上記実施例ではカメラ一体型デジタルＶＤＲについて説明したが、本発明におけるデジタル記録再生装置においては、カメラ一体型デジタルＶＤＲに限定されず、据置型のデジタルＶＤＲに適用しても同様に小型化及びアクセス性の向上を図ることができる。
【００２９】
また、小型のディスク装置は、可換性であってもよい。また、光ディスクには相変化型光ディスクを用いることにより、光ヘッド機構の小型化が図られ、ディスク駆動手段をさらに小型にすることができる。
【００３０】
本発明において、ＨＤＤを用いた場合の磁気ヘッドは、小型化を達成するために磁気抵抗素子を含む薄膜ヘッドで構成される。例えば、記録に誘導型素子、再生に磁気抵抗素子を用いた記録再生分離型ヘッドが好ましい。この薄膜ヘッドには複数の記録・再生トラックが並列に形成され、各トラックは同時に記録・再生が行なわれる。これにより、１つの磁気ヘッドで多チャンネルの記録・再生が達成でき、装置に占める磁気ヘッドの容積を小さくすることができる。
【図面の簡単な説明】
【００３１】
【図１】本発明における一実施例のデジタルＶＤＲの基本構成を示すブロック図である。
【図２】本発明における一実施例を示すカメラ一体型デジタルＶＤＲの斜視図である。
【図３】従来例を示すブロック図である。
【符号の説明】
【００３２】
３    画像圧縮符号化手段
９    ディスク
１５  画像圧縮復号化手段
２２  カメラ一体型デジタルＶＤＲ
２３  ディスク駆動手段
【図１】
2004215292.tif 000005
【図２】
2004215292.tif 000006
【図３】
2004215292.tif 000007